(57)【要約】【課題】設置環境に合わせた任意の送風方向の設定や送風エリアの拡大、吹出し風量の変更を簡単に行うことができ、送風機の能力、大きさに関わらず同じ動力で首振り動作を行うことができる工場用送風システムを提供することを課題とする。【解決手段】工場用送風システムにおいて、オリフィス、羽根車、送風機用モータが配置されたチャンバーの下面に首振り機構を介して取付けられた通風筒を形成し、首振り機構は、チャンバー下面外部に設置された制御装置により制御できる構成としたものである。【選択図】図２
2008255920.tif 000002
【特許請求の範囲】
【請求項１】
外面に天井吊下げ用金具を備え、かつ、天面に吸込口を有したチャンバーと、前記チャンバーの内部に配置した送風機と、前記チャンバーの下面に首振り手段を介して取付けられた通風筒と、前記通風筒の先端に設けられた球状の一部を成す保持部と、前記保持部に包含され内接保持された球形状の一部を成す可動筒と、前記可動筒の先端に取付けられ風を吹出すための筒状のノズルとで構成される工場用送風システム。
【請求項２】
前記首振り手段は、手動で通風筒の首振り方向を変更することを特徴とする請求項１記載の工場用送風システム。
【請求項３】
前記送風機は、遠心送風機であることを特徴とする請求項１または２記載の工場用送風システム。
【請求項４】
前記首振り手段は、首振り用モータと、制御装置を備え、制御装置からの指令によって、首振り用モータを制御し、正転・逆転の首振り動作を行うことを特徴とする請求項１または３記載の工場用送風システム。
【請求項５】
前記制御装置は、設定部と処理部と出力部とを備え、前記設定部で設定した首振り動作の情報を、前記処理部で記憶、処理させ、出力部より首振り用モータへ出力する構成としたことを特徴とする請求項４記載の工場用送風システム。
【請求項６】
前記設定部における首振り動作の設定を、首振りＯＮ／ＯＦＦ、首振り速度、首振り角度または首振り中心位置のうち少なくとも一つを含む情報としたことを特徴とする請求項５記載の工場用送風システム。
【請求項７】
前記設定部を、送信器を有する無線リモコンと受信器とを含み、前記無線リモコンで設定した情報を前記送信器から前記受信器へ無線通信手段によって伝達させる構成としたことを特徴とする請求項５または請求項６に記載の工場用送風システム。
【請求項８】
前記無線通信手段を、赤外線信号を利用する構成としたことを特徴とする請求項７記載に記載の工場用送風システム。
【請求項９】
前記制御装置を、前記送風機のモータの回転数、ＯＮ／ＯＦＦを制御する制御装置を備え、吹出し風量を調整できる構成としたことを特徴とする請求項４から８のいずれかに記載の工場用送風システム。
【請求項１０】
前記チャンバーの内面に吸音材を貼り付けたことを特徴とする請求項１から請求項９のいずれかに記載の工場用送風システム。
【請求項１１】
前記チャンバーの外部空気吸込み口にフィルターを設けた構成としたことを特徴とする請求項１から請求項１０のいずれかに記載の工場用送風システム。
【発明の詳細な説明】
【技術分野】
【０００１】
本発明は、工場用送風システムにおいて、設置環境に合わせた風量調整方法や送風エリアの拡大等に関するものである。
【背景技術】
【０００２】
従来、この種の工場用送風システムには、設置環境に合わせた風量調整方法や送風エリアの拡大等に関するものは、送風機下部に自動首振り機構を備えた保持フレームを配置した送風システムがよく知られている。この方式の一つは、垂直に配置された駆動モータの回転軸にリンクの一端を連結し、もう一端を軸流送風機を保持して回転する機構を備えた保持フレームに連結し、駆動モータの回転動作を首振り動作に変換する構造になっている（例えば、特許文献１参照）。
【特許文献１】実開平７−１０４９４号公報
【発明の開示】
【発明が解決しようとする課題】
【０００３】
このような従来の工場用送風システムでは、首振り動作を行う保持フレームの上に送風機を配置する構造となっており、その首振り動作を行う動力は、送風機の重さに比例する形となっている。その為、大風量を必要とする空間用に送風機を大きくした場合、首振り動作を行うための動力も大きくしなければならないという課題があり、送風機の能力、大きさに関わらず同じ動力で首振り動作を行えることが要求されている。
【０００４】
また、床置き設置タイプの為、工場内に設置スペースを余分に設けなければならないという課題があり、省スペース性を要求されている。
【０００５】
また、保持フレーム上の送風機には、気流の直進性を得るために、軸流送風機が採用されている為、騒音が大きいという課題があり、低騒音性を要求されている。
【０００６】
そこで本発明は、このような従来の課題を解決するものであり、送風機の能力、大きさに関わらず同じ動力で首振り動作を行うことができ、また、省スペース且つ低騒音の工場用送風システムを提供することを目的としている。
【課題を解決するための手段】
【０００７】
本発明の請求項１記載の工場用送風システムは、外面に天井吊下げ用金具を備え、かつ、天面に吸込口を有したチャンバーと、前記チャンバーの内部に配置した送風機と、前記チャンバーの下面に首振り手段を介して取付けられた通風筒と、前記通風筒の先端に設けられた球状の一部を成す保持部と、前記保持部に包含され内接保持された球形状の一部を成す可動筒と、前記可動筒の先端に取付けられ風を吹出すための筒状のノズルとで構成されることを特徴とするものである。
【０００８】
また、本発明の請求項２記載の工場用送風システムは、前記首振り手段は、手動で通風筒の首振り方向を変更することを特徴とするものである。
【０００９】
また、本発明の請求項３記載の工場用送風システムは、前記送風機は、遠心送風機であることを特徴とするものである。
【００１０】
また、本発明の請求項４記載の工場用送風システムは、前記首振り手段は、首振り用モータと、制御装置を備え、制御装置からの指令によって、首振り用モータを制御し、正転・逆転の首振り動作を行うことを特徴とするものである。
【００１１】
また、本発明の請求項５記載の工場用送風システムは、前記制御装置を、設定部と処理部と出力部とを備え、前記設定部で設定した首振り動作の情報を、前記処理部で記憶、処理させ、出力部より首振り用モータへ出力する構成としたことを特徴とする。
【００１２】
また、本発明の請求項６記載の工場用送風システムは、前記設定部における首振り動作の設定を、首振りＯＮ／ＯＦＦ、首振り速度、首振り角度または首振り中心位置のうち少なくとも一つを含む情報としたことを特徴とするものである。
【００１３】
また、本発明の請求項７記載の工場用送風システムは、前記設定部を、送信器を有する無線リモコンと受信器とを含み、前記無線リモコンで設定した情報を前記送信器から前記受信器へ無線通信手段によって伝達させる構成としたことを特徴とするものである。
【００１４】
また、本発明の請求項８記載の工場用送風システムは、前記前記無線通信手段を、赤外線信号を利用する構成としたことを特徴とするものである。
【００１５】
また、本発明の請求項９記載の工場用送風システムは、前記前記制御装置を、前記送風機のモータの回転数、ＯＮ／ＯＦＦを制御する制御装置を備え、吹出し風量を調整できる構成としたことを特徴とするものである。
【００１６】
また、本発明の請求項１０記載の工場用送風システムは、前記前記チャンバーの内面に吸音材を貼り付けたことを特徴とするものである。
【００１７】
また、本発明の請求項１１記載の工場用送風システムは、前記前記チャンバーの外部空気吸込み口にフィルターを設けた構成としたことを特徴とするものである。
【発明の効果】
【００１８】
以上の説明から明らかなように本発明によれば、送風機の能力、大きさに関わらず同じ動力で首振り動作を行うことができ、また、設置環境に合わせた風量調整方法や送風エリアの拡大を簡単に行うことができる工場用送風システムを提供できるものである。天井吊り下げタイプにすることにより工場内の省スペース性を確保し、送風機を配置したチャンバー内部に吸音材を配置することで低騒音の工場用送風システムを提供できる作用を有する。
【発明を実施するための最良の形態】
【００１９】
本発明の第１の実施の形態による工場用送風システムは、外面に天井吊下げ用金具を備え、かつ、天面に吸込口を有したチャンバーと、前記チャンバーの内部に配置した送風機と、前記チャンバーの下面に首振り手段を介して取付けられた通風筒と、前記通風筒の先端に設けられた球状の一部を成す保持部と、前記保持部に包含され内接保持された球形状の一部を成す可動筒と、前記可動筒の先端に取付けられ風を吹出すための筒状のノズルとで構成されることを特徴とするものであり、設置環境に合わせた任意の送風方向の設定を簡単に行うことができる。
【００２０】
また、本発明の第２の実施の形態による工場用送風システムは、前記首振り手段は、手動で通風筒の首振り方向を変更することを特徴とするものである。
【００２１】
また、本発明の第３の実施の形態による工場用送風システムは、前記送風機は、遠心送風機であることを特徴とするものである。
【００２２】
また、本発明の第４の実施の形態による工場用送風システムは、前記首振り手段は、首振り用モータと、制御装置を備え、制御装置からの指令によって、首振り用モータを制御し、正転・逆転の首振り動作を行うことを特徴とするものであり、自動で通風筒の首振り方向を変更し、設置環境に合わせた任意の送風方向の設定や送風エリアの拡大を簡単に行うことができる。また、送風機の能力、大きさに関係なく、通風筒を動かす動力のみで首振り動作を行うことができる。
【００２３】
また、本発明の第５の実施の形態による工場用送風システムは、前記制御装置を、設定部と処理部と出力部とを備え、前記設定部で設定した首振り動作の情報を、前記処理部で記憶、処理させ、出力部より首振り用モータへ出力する構成としたことを特徴とするものであり、首振り動作を自動で行うことができ、設置環境に合わせた任意の送風方向の設定や送風エリアの拡大を簡単に行うことができる。
【００２４】
また、本発明の第６の実施の形態による工場用送風システムは、前記設定部における首振り動作の設定を、首振りＯＮ／ＯＦＦ、首振り速度、首振り角度または首振り中心位置のうち少なくとも一つを含む情報としたことを特徴とするものであり、自動首振り動作を任意に設定することができ、設置環境に合わせた任意の送風方向の設定や送風エリアの拡大を簡単に行うことができる。
【００２５】
また、本発明の第７の実施の形態による工場用送風システムは、前記設定部を、送信器を有する無線リモコンと受信器とを含み、前記無線リモコンで設定した情報を前記送信器から前記受信器へ無線通信手段によって伝達させる構成としたことを特徴とするものであり、自動首振り動作の設定を遠隔より行うことができる。
【００２６】
また、本発明の第８の実施の形態による工場用送風システムは、前記無線通信手段を、赤外線信号を利用する構成としたことを特徴とするものであり、自動首振り動作の設定を遠隔より行うことができる。
【００２７】
また、本発明の第９の実施の形態による工場用送風システムは、前記制御装置を、前記送風機のモータの回転数、ＯＮ／ＯＦＦを制御する制御装置を備え、吹出し風量を調整できる構成としたことを特徴とするものであり、設置環境に合わせた任意の吹出し風量の設定を簡単に行うことができる。
【００２８】
また、本発明の第１０の実施の形態による工場用送風システムは、前記チャンバーの内面に吸音材を貼り付けたことを特徴とするものであり、システムの低騒音化を実現することができる。
【００２９】
また、本発明の第１１の実施の形態による工場用送風システムは、前記チャンバーの外部空気吸込み口にフィルターを設けた構成としたことを特徴とするものであり、工場内のミスト、ヒューム、粉塵などを除去し、きれいな空気を送風することができる。
【００３０】
以下、本発明の工場用送風システムの一実施例を図面に基づいて説明する。
【実施例】
【００３１】
（実施例１）
図１は本発明第一の実施例による工場用送風システムの縦断面図である。
【００３２】
本実施例による工場用送風システムの全体構成は、外面に天井吊下げ用金具１を備えたチャンバー６と、チャンバー６の天面に配置され外部空気吸込み口であるオリフィス４と、チャンバー６内部のオリフィス４下部に配置され、外部空気を吸込む羽根車２と、その羽根車２を回転させる送風機用モータ３と、送風機用モータ３を保持する送風機保持台５とを備えており、外部から空気を取り込み、通風筒１１、可動筒１３を通ってノズル１４へ導く構造となっている。送風機保持台５は、チャンバー６の内壁に固定されている。羽根車２は、遠心送風機を用いる。オリフィス４の上部にはフィルター１７が配置されており、吸込み空気の清浄化を行っている。チャンバー内面には吸音材１６が配置されており、システムの低騒音化を行っている。チャンバー６下面には、軸受け７とシャフト８で構成された首振り機構を保持する首振り機構保持台１５が配置されている。シャフト８の先端には放射状に首振り支持部９が設けられ、その首振り支持部９と通風筒１１とが連結されている。通風筒１１はシャフト８を回転軸の中心とし３６０度回転する構造となっている。シャフト８の首振り支持部９と逆側の端には、風力で通風筒１１が回転しないようシャフト８に一定のトルクをあたえているトルク装置１０が配置されている。通風筒１１の先端には球形状の一部を成す保持部１２と、その保持部１２に包含され内接保持された球形状の一部を成す可動筒１３と、可動筒１３の先端に配置され風を吹出すための筒状のノズル１４が設けられている。
【００３３】
上記構成において、ノズル１４は、球形状の一部を成す保持部１２が内接保持する可動筒１３によって、その吹出し方向を上下に変更することができる。また、通風筒１１は首振り支持部９を介し、シャフト８を軸にして首振りができるようになっている。この首振り機構を手動で動かすことにより、ノズル１４の吹出し方向が水平方向に回転する。
【００３４】
このような構造によれば、回転する吹出口部分、すなわち、通風筒１１、保持部１２、可動筒１３、ノズル１４には、送風機を有さず、小さなトルクによって吹出口の回転をすることができる。また、天井に吊る形式をとるため、省スペースとなり、且つ、遠心送風機を用いて低騒音な工場用送風システムを提供できる。さらに、設置環境に合わせた任意の送風方向の設定を手動で簡単に行うことができる。
【００３５】
また、吸込み口にフィルターを設けることで工場内のミスト、ヒューム、粉塵などを除去し、きれいな空気を送風することができる。
【００３６】
（実施例２）
以下、本発明の工場用送風システムの他の実施例を図面に基づいて説明する。なお、上記実施例と同一機能を有する構成には同一符号を付して説明を省略する。また下記の実施例で図示しないその他の構成については上記実施例と同様の構成をしている。
【００３７】
図２は本発明第二の実施例による工場用送風システムの縦断面図、図３は本発明第二の実施例による無線リモコン正面図である。
【００３８】
本実施例では、図２に示すように首振りモータ１８と首振り動作を制御する制御装置１９を備え、首振り動作を自動で行う構造としたものである。首振りモータ１８は首振り機構保持台１５に保持され、シャフト８と連結されている。首振りモータ１８が正転、逆転を繰り返すことにより、ノズル１４を含む通風筒１１が水平方向に自動首振り動作を行う構造となっている。また、送風機用モータ３と羽根車２とで内部ファンを構成している。
【００３９】
制御装置１９はチャンバー６下面外部に配置され、設定部２２と処理部２１と出力部２０が備えられている。設定部２２で設定した首振り動作の情報を処理部２１で記憶、処理し、出力部２０より電気配線２４を通じて首振りモータ１８に出力する構成となっている。設定可能な首振り動作は、首振りＯＮ／ＯＦＦ、首振り速度、首振り角度、首振り中心位置の４種類である。また制御装置１９では、首振り動作の設定とは別に、内部ファンＯＮ／ＯＦＦ、内部ファン回転数を設定できる構成となっており、首振り動作の制御と同様に、設定部２２で設定し、処理部２１で記憶、処理し、出力部２０より電気配線２５を通じて送風機用モータ３に出力する構成となっている。設定部２２は、受信器２３を備えており、無線リモコン２６で設定された制御情報を受信する構成となっている。無線リモコン２６は、送信器２７を備えており、設定した制御情報を送信器２７から受信器２３へ赤外線信号によって伝達する構成となっている。
【００４０】
図３に示すように、無線リモコン２６には、首振りＯＮ／ＯＦＦスイッチ２６ａ、首振り速度設定スイッチ２６ｂ、首振り角度設定スイッチ２６ｃ、首振り中心位置設定スイッチ２６ｄ、内部ファンＯＮ／ＯＦＦスイッチ２６ｅ、内部ファン回転数設定スイッチ２６ｆ、内部ファン回転数モニター２６ｇが備えられている。無線リモコン２６での首振り動作設定方法は、まず首振り中心位置設定スイッチ２６ｄを押し続け、ノズル１４が所望の首振り中心位置に達した時にスイッチから手を離す。次に首振りＯＮ／ＯＦＦスイッチ２６ａを押し、首振り動作を開始させた後、首振り角度設定スイッチ２６ｃを数回押すことにより好みの首振り角度（例えば６０°、９０°、１２０°など）を設定する。さらに首振り速度設定スイッチ２６ｂを数回押すことにより好みの首振り速度（例えば低速、中速、高速など）を設定する。内部ファンの動作設定方法は、内部ファンＯＮ／ＯＦＦスイッチ２６ｅを押し内部ファンを動作させ、内部ファン回転数設定スイッチ２６ｆを押すことにより好みの内部ファン回転数を設定する。
【００４１】
このような構造によれば、回転する吹出口部分、すなわち、通風筒１１、保持部１２、可動筒１３、ノズル１４には、送風機を持たないため、内部ファンの能力、大きさに関係なく、通風筒を動かす動力のみで首振り動作を行うことができる。また、通風筒の首振り動作や内部ファンの設定を変更することにより、設置環境に合わせた任意の送風方向の設定や送風エリアの拡大、吹出し風量の変更を簡単に行うことができる。
【産業上の利用可能性】
【００４２】
本発明は、工場用送風システムに関するものだが、体育館や競技場など大空間での送風機能を必要とする場所にも適用できる。
【図面の簡単な説明】
【００４３】
【図１】本発明第一の実施例による工場用送風システムの縦断面図
【図２】本発明第二の実施例による工場用送風システムの縦断面図
【図３】本発明第二の実施例による無線リモコン正面図
【符号の説明】
【００４４】
１    天井吊下げ用金具
２    羽根車
３    送風機用モータ
４    オリフィス
５    送風機保持台
６    チャンバー
７    軸受け
８    シャフト
９    首振り支持部
１０  トルク装置
１１  通風筒
１２  保持部
１３  可動筒
１４  ノズル
１５  首振り機構保持台
１６  吸音材
１７  フィルター
１８  首振りモータ
１９  制御装置
２０  出力部
２１  処理部
２２  設定部
２３  受信器
２４、２５  電気配線
２６  無線リモコン
２７  送信器
【図１】
2008255920.tif 000003
【図２】
2008255920.tif 000004
【図３】
2008255920.tif 000005